(57)【要約】【課題】  駐車場の予約を可能にして利用者の利便性の向上を図るとともに、予約キャンセルによる収入減を防止することができる駐車場管理方法及びそのシステムを提供する。【解決手段】  情報通信端末から受信した駐車場予約要求で指定された駐車場について、情報通信端末の利用者による利用開始の情報を駐車場管理データベースに登録し、その利用開始から所定時間経過するまでの仮利用時間について情報通信端末の利用者に対する駐車料金の課金処理を実行し、情報通信端末に駐車場予約処理の結果を送信する。また、駐車場への入庫時は、車両の利用者が駐車場予約を行った本人であるか否かを確認し、利用者の車両の駐車場への入庫を許可する入庫許可情報を、駐車場に設置された駐車管理装置に送信する。【選択図】  図６
2008204215.tif 000002
【特許請求の範囲】
【請求項１】
情報通信端末を用いた駐車場の利用を管理する駐車場利用管理方法であって、
情報通信端末から通信回線を介して駐車場予約要求を受信するステップと、
前記駐車場予約要求で指定された駐車場について、前記情報通信端末の利用者による利用開始の情報を駐車場管理データベースに登録する駐車場予約処理を実行するステップと、
前記利用開始から所定時間経過するまでの仮利用時間について前記情報通信端末の利用者に対する駐車料金の課金処理を実行するステップと、
通信回線を介して前記情報通信端末に、前記駐車場予約処理の結果を送信するステップと、
前記駐車場に入庫しようとする車両の利用者の情報通信端末を介して、該車両の利用者が前記駐車場予約を行った本人であるか否かを確認するための本人確認情報を取得するステップと、
前記駐車場管理データベースの登録情報と前記取得した本人確認情報とに基づいて、前記駐車場へ入庫しようとする車両の利用者が前記駐車場予約を行った本人であるか否かを判断するステップと、
前記駐車場へ入庫しようとする車両の利用者が前記駐車場予約を行った本人であることを確認できた場合に、該利用者の車両の該駐車場への入庫を許可する入庫許可情報を、通信回線を介して該駐車場に設置された駐車管理装置に送信するステップと、
を含むことを特徴とする駐車場利用管理方法。
【請求項２】
請求項１の駐車場利用管理方法において、
前記駐車場予約処理は、前記駐車場の駐車空きスペースを前記利用者に割り当てて登録する処理を含み、
前記情報通信端末に送信される前記駐車場予約処理の結果は、前記駐車場の駐車空きスペースを特定する情報を含むことを特徴とする駐車場利用管理方法。
【請求項３】
請求項１又は２の駐車場利用管理方法において、
前記駐車場から出庫しようとする車両の利用者の情報通信端末を介して、該車両の入・出庫情報を取得するステップと、
前記入・出庫情報に基づいて、前記利用者の車両が実際に駐車されていた時間が前記仮利用時間を超過したか否かを判断するステップと、
前記仮利用時間を超過した場合には、その超過時間分について該利用者に対する課金処理を実行するステップと、
を更に含むことを特徴とする駐車場利用管理方法。
【請求項４】
請求項１乃至３のいずれかの駐車場利用管理方法において、
情報通信端末から通信回線を介して、前記駐車場の予約が可能な駐車場の検索を要求する駐車場検索要求を受信するステップと、
前記駐車場検索要求に基づいて、前記利用予約が可能な駐車空きスペースがある駐車場を検索するステップと、
通信回線を介して前記情報通信端末に、前記検索の結果を送信する送信するステップと、
を更に含むことを特徴とする駐車場利用管理方法。
【請求項５】
情報通信端末を用いた駐車場の利用を管理する駐車場利用管理システムであって、
駐車場の情報と該駐車場の利用者情報とが保存された駐車場管理データベースと、
情報通信端末から通信回線を介して駐車場予約要求を受信する手段と、
前記駐車場予約要求で指定された駐車場について、前記情報通信端末の利用者による利用開始の情報を前記駐車場管理データベースに登録する駐車場予約処理を実行する手段と、
前記利用開始から所定時間経過するまでの仮利用時間について前記情報通信端末の利用者に対する駐車料金の課金処理を実行する手段と、
通信回線を介して前記情報通信端末に、前記駐車場予約処理の結果を送信する手段と、
前記駐車場に入庫しようとする車両の利用者の情報通信端末を介して、該車両の利用者が前記駐車場予約を行った本人であるか否かを確認するための本人確認情報を取得する手段と、
前記駐車場管理データベースの登録情報と前記取得した本人確認情報とに基づいて、前記駐車場へ入庫しようとする車両の利用者が前記駐車場予約を行った本人であるか否かを判断する手段と、
前記駐車場へ入庫しようとする車両の利用者が前記駐車場予約を行った本人であることを確認できた場合に、該利用者の車両の該駐車場への入庫を許可する入庫許可情報を、通信回線を介して該駐車場に設置された駐車管理装置に送信する手段と、
を備えたことを特徴とする駐車場利用管理システム。
【請求項６】
請求項５の駐車場利用管理システムにおいて、
前記駐車場予約処理は、前記駐車場の駐車空きスペースを前記利用者に割り当てて登録する処理を含み、
前記情報通信端末に送信される前記駐車場予約処理の結果は、前記駐車場の駐車空きスペースを特定する情報を含むことを特徴とする駐車場利用管理システム。
【請求項７】
請求項５又は６の駐車場利用管理システムにおいて、
前記駐車場から出庫しようとする車両の利用者の情報通信端末を介して、該車両の入・出庫情報を取得する手段と、
前記入・出庫情報に基づいて、前記利用者の車両が実際に駐車されていた時間が前記仮利用時間を超過したか否かを判断する手段と、
前記仮利用時間を超過した場合には、その超過時間分について該利用者に対する課金処理を実行する手段と、
を更に備えたことを特徴とする駐車場利用管理システム。
【請求項８】
請求項５乃至７のいずれかの駐車場利用管理システムにおいて、
情報通信端末から通信回線を介して、前記利用予約が可能な駐車場の検索を要求する駐車場検索要求を受信する手段と、
前記駐車場検索要求に基づいて、前記利用予約が可能な駐車空きスペースがある駐車場を検索する手段と、
通信回線を介して前記情報通信端末に、前記検索の結果を送信する手段と、
を更に含むことを特徴とする駐車場利用管理システム。
【発明の詳細な説明】
【技術分野】
【０００１】
本発明は、携帯電話機等の移動体通信端末（情報通信端末）を用いた駐車場の利用を管理する駐車場利用管理方法及びそのシステムに関するものである。
【背景技術】
【０００２】
従来、駐車場の入庫状況などをネットワーク越しに管理センターで一元管理するシステムが知られている（例えば非特許文献１、特許文献１、特許文献２参照）。また、駐車場の位置や空き状況をカーナビや携帯電話で確認する方法が知られている（例えば非特許文献２参照）。
【０００３】
【特許文献１】特開２００４−８６４５２号公報
【特許文献２】特開２００６−２２１５６２号公報
【非特許文献１】駐車場管理システム、［online］、アマノ株式会社、平成１８年、［平成１９年２月１９日検索］、インターネット＜ＵＲＬ  http://www.amano.co.jp/Parking/parking_ms/before/index.html＞
【非特許文献２】「ITmedia +D モバイル：駐車場の空きも分かる──ナビタイムが「EZ助手席ナビ」で情報配信」、［online］、ITmedia、平成１７年１１月１０日、［平成１９年２月１９日検索］、インターネット＜ＵＲＬ  http://plusd.itmedia.co.jp/mobile/articles/0511/10/news037.html＞
【発明の開示】
【発明が解決しようとする課題】
【０００４】
上記従来の方法で駐車場の位置や空き状況を確認しても、実際にその場へ移動する間に満車となる可能性がある。そのため、利用者側にとっては、駐車場を事前に予約できると非常に便利である。しかしながら、駐車場を管理する側にとっては、駐車場の予約を受け付ける場合、予約者の車両が実際に現れず、予約で確保しておいた駐車スペースについて駐車料の収入減になってしまうおそれがある。
【０００５】
本発明は以上の問題点に鑑みなされたものであり、その目的は、駐車場の予約を可能にして利用者の利便性の向上を図るとともに、予約キャンセルによる収入減を防止することができる駐車場管理方法及びそのシステムを提供することである。
【課題を解決するための手段】
【０００６】
本発明に係る駐車場利用管理方法は、情報通信端末を用いた駐車場の利用を管理する駐車場利用管理方法であって、情報通信端末から通信回線を介して駐車場予約要求を受信するステップと、前記駐車場予約要求で指定された駐車場について、前記情報通信端末の利用者による利用開始の情報を駐車場管理データベースに登録する駐車場予約処理を実行するステップと、前記利用開始から所定時間経過するまでの仮利用時間について前記情報通信端末の利用者に対する駐車料金の課金処理を実行するステップと、通信回線を介して前記情報通信端末に、前記駐車場予約処理の結果を送信するステップと、前記駐車場に入庫しようとする車両の利用者の情報通信端末を介して、該車両の利用者が前記駐車場予約を行った本人であるか否かを確認するための本人確認情報を取得するステップと、前記駐車場管理データベースの登録情報と前記取得した本人確認情報とに基づいて、前記駐車場へ入庫しようとする車両の利用者が前記駐車場予約を行った本人であるか否かを判断するステップと、前記駐車場へ入庫しようとする車両の利用者が前記駐車場予約を行った本人であることを確認できた場合に、該利用者の車両の該駐車場への入庫を許可する入庫許可情報を、通信回線を介して該駐車場に設置された駐車管理装置に送信するステップと、を含む。
この駐車場管理方法では、情報通信端末から通信回線を介して駐車場予約要求を受信すると、その駐車場予約要求で指定された駐車場について、情報通信端末の利用者による利用開始の情報を駐車場管理データベースに登録する駐車場予約処理が実行される。そして、駐車場予約処理が実行された後、利用者が予約を行った駐車場に入庫しようとするとき、その利用者の情報通信端末を介して取得された本人確認情報と、駐車場管理データベースの登録情報とに基づいて本人確認が行われ、予約者本人であることが確認された場合に、その利用者の車両の駐車場への入庫を許可する入庫許可情報が、通信回線を介して駐車場に設置された駐車管理装置に送信される。この入庫許可情報に基づいて、駐車管理装置が当該車両の入庫を許可するように動作することができるので、上記事前に予約された駐車場をその予約を行った本人が確実に利用できる。
しかも、上記利用者からの駐車場予約処理が実行される場合、情報通信端末の利用者による利用開始から所定時間経過するまでの仮利用時間について、その情報通信端末の利用者に対する駐車料金の課金処理が実行されることにより、駐車場の管理者側は、情報通信端末を用いた駐車場の予約の際に、その予約された駐車スペースの利用に対する料金の支払いを受けることができるので、予約キャンセルによる収入減を防止できる。
【０００７】
前記駐車場利用管理方法において、前記駐車場予約処理は、前記駐車場の駐車空きスペースを前記利用者に割り当てて登録する処理を含み、前記情報通信端末に送信される前記駐車場予約処理の結果は、前記駐車場の駐車空きスペースを特定する情報を含んでもよい。この場合、駐車場を予約した利用者は、その予約した駐車場に到着したとき、駐車空きスペースを探すことなく、駐車場予約処理の結果で特定されている駐車空きスペースに速やかに駐車することができる。
【０００８】
また、前記駐車場利用管理方法において、前記駐車場から出庫しようとする車の利用者の情報通信端末を介して、該車の入・出庫情報を取得するステップと、前記入・出庫情報に基づいて、前記利用者の車が実際に駐車されていた時間が前記仮利用時間を超過したか否かを判断するステップと、前記仮利用時間を超過した場合には、その超過時間分について該利用者に対する課金処理を実行するステップと、を更に含んでもよい。この場合は、駐車場を予約した利用者が予約時の仮利用時間を超過して車両を駐車したときに、その超過時間分について利用者に対する課金処理を実行するので、超過時間分に対する利用料金の回収漏れを回避できる。
【０００９】
また、前記駐車場利用管理方法において、情報通信端末から通信回線を介して、前記利用予約が可能な駐車場の検索を要求する駐車場検索要求を受信するステップと、前記駐車場検索要求に基づいて、前記利用予約が可能な駐車空きスペースがある駐車場を検索するステップと、通信回線を介して前記情報通信端末に、前記検索の結果を送信する送信するステップと、を更に含んでもよい。この場合、前記利用予約が可能な駐車空きスペースがある駐車場を利用者の情報通信端末から検索して簡単に探すことができる。
【００１０】
本発明に係る駐車場利用管理システムは、情報通信端末を用いた駐車場の利用を管理する駐車場利用管理システムであって、駐車場の情報と該駐車場の利用者情報とが保存された駐車場管理データベースと、情報通信端末から通信回線を介して駐車場予約要求を受信する手段と、前記駐車場予約要求で指定された駐車場について、前記情報通信端末の利用者による利用開始の情報を前記駐車場管理データベースに登録する駐車場予約処理を実行する手段と、前記利用開始から所定時間経過するまでの仮利用時間について前記情報通信端末の利用者に対する駐車料金の課金処理を実行する手段と、通信回線を介して前記情報通信端末に、前記駐車場予約処理の結果を送信する手段と、前記駐車場に入庫しようとする車の利用者の情報通信端末を介して、該車の利用者が前記駐車場予約を行った本人であるか否かを確認するための本人確認情報を取得する手段と、前記駐車場管理データベースの登録情報と前記取得した本人確認情報とに基づいて、前記駐車場へ入庫しようとする車の利用者が前記駐車場予約を行った本人であるか否かを判断する手段と、前記駐車場へ入庫しようとする車の利用者が前記駐車場予約を行った本人であることを確認できた場合に、該利用者の車の該駐車場への入庫を許可する入庫許可情報を、通信回線を介して該駐車場に設置された駐車管理装置に送信する手段と、を備える。
前記駐車場利用管理システムにおいて、前記駐車場予約処理は、前記駐車場の駐車空きスペースを前記利用者に割り当てて登録する処理を含み、前記情報通信端末に送信される前記駐車場予約処理の結果は、前記駐車場の駐車空きスペースを特定する情報を含んでもよい。
また、前記駐車場利用管理システムにおいて、前記駐車場から出庫しようとする車の利用者の情報通信端末を介して、該車の入・出庫情報を取得する手段と、前記入・出庫情報に基づいて、前記利用者の車が実際に駐車されていた時間が前記仮利用時間を超過したか否かを判断する手段と前記仮利用時間を超過した場合には、その超過時間分について該利用者に対する課金処理を実行する手段と、を更に備えてもよい。
また、前記駐車場利用管理システムにおいて、情報通信端末から通信回線を介して、前記利用予約が可能な駐車場の検索を要求する駐車場検索要求を受信する手段と、前記駐車場検索要求に基づいて、前記利用予約が可能な駐車空きスペースがある駐車場を検索する手段と、通信回線を介して前記情報通信端末に、前記検索の結果を送信する手段と、を更に含んでもよい。
【００１１】
なお、上記利用者の車両の入庫時に用いる本人確認情報は、近距離無線通信により利用者の情報通信端末と通信可能に駐車場に設けられた駐車管理装置を介して取得してもよいし、利用者が予約した駐車場に到着したときに利用者の情報通信端末から移動体通信ネットワークを介して直接取得してもよい。
また、上記駐車場管理データベースの登録情報と上記取得した本人確認情報とに基づいた本人確認処理は、駐車場管理システム内で実行してもよいし、駐車場に設けられた駐車管理装置が情報通信端末及び駐車場管理システムと通信して必要な情報を取得して実行してもよい。
また、上記駐車場の利用料金の課金処理は、電子マネー機能のアプリケーションが組み込まれた情報通信端末が、近距離無線通信により情報通信端末と通信可能に駐車場に設けられた駐車管理装置を介して電視マネー電子マネー管理システムと通信することにより実行することができる。上記駐車場の利用料金の課金処理は、利用者の情報通信端末の利用料金に加算するように実行してもよい。
【発明の効果】
【００１２】
本発明によれば、駐車場の予約を可能にして利用者の利便性の向上を図るとともに、予約キャンセルによる収入減を防止することができるという効果がある。
【発明を実施するための最良の形態】
【００１３】
以下、図面を参照しながら本発明の実施形態について説明する。
図１は、本発明に係る実施形態における駐車場利用方法の概略手順の一例を示す説明図である。例えば、利用者１が午後２時に自動車１１で野球観戦に出発する際に、野球場の近くにある駐車場３を管理する駐車場管理者６の駐車場管理システムに、情報通信端末（移動体通信端末）としての携帯電話機１０でアクセスし、駐車空きスペースがある駐車場（空き駐車場）を検索する（ステップ１）。空き駐車場が見つかったら、利用者１は携帯電話機１０を操作することにより、空き駐車場を予約するとともに、携帯電話機１０の電子マネー機能を用いて空き駐車場に対する予約駐車料金を支払う（ステップ２，３）。図示の例では、出発時の午後２時から午後９時までの駐車予約時間の７時間分について予約駐車料金を支払っている。その後、利用者１は自動車１１を運転して目的地である野球場の駐車場３に向かう。夕方の午後５時に現地の駐車場３に到着したら、利用者は携帯電話機１０を操作し、駐車場３に設置されている駐車管理装置と近距離無線通信を行って本人認証を行った後、上記予約しておいた駐車空きスペースに自動車１１を駐車する（ステップ４）。そして、野球観戦が終って午後９時半に駐車場３から出庫する際に、携帯電話機１０の電子マネー機能を用いて、上記駐車予約時間（午後２時〜午後９時）を超過している３０分について追加駐車料金を支払う（ステップ５）。
【００１４】
図２は本実施形態に係る駐車場管理システム及び電子マネー管理システムを含む駐車場利用システム全体の一例を示す概略構成図である。この駐車場利用システムは、利用者１の携帯電話機１０のほか、通信ネットワーク４０，５０，７０を介して通信可能な電子マネー管理システム２０及び駐車場管理システム６０、駐車場３に設置された駐車管理装置３０等で構成されている。駐車管理装置３０には、近距離無線通信により携帯電話機１０と通信可能な電子財布サービスの決済用端末装置であるリーダ／ライタ装置（以下、「Ｒ／Ｗ装置」という。）３１が組み込まれている。
【００１５】
上記電子マネー管理システム２０は、例えばＷＥＢ機能を具備したコンピュータからなるサーバ装置で構成され、移動体通信ネットワークとしての携帯電話網４０を介して携帯電話機１０との間で通信したり、例えば固定回線のネットワーク５０を介して駐車場管理システム６０や駐車管理装置３０内のＲ／Ｗ装置３１と通信したりできるように構成されている。この電子マネー管理システム２０と携帯電話機１０との間の通信プロトコルとしては、例えばＨＴＴＰ（HyperText Transfer Protocol ）が用いられる。電子マネー管理システム２０は、電子財布サービスのアプリケーションプログラムの各機能について利用者の権限管理を実行する。また、電子マネー管理システム２０には、上記権限管理に必要な暗号処理やその暗号処理に用いる認証キー（暗号鍵）の管理を行う専用モジュールが設けられている。
【００１６】
上記駐車管理装置３０は、Ｒ／Ｗ装置３１を介して携帯電話機１０との間で本人確認情報や電子マネー等の利用料金課金情報等の情報をやり取りするほか、駐車場での車両の検知結果や駐車場管理システム６０から受信した制御指令に基づいて、駐車場３のゲート等を制御して車両の入庫及び出庫を管理する。また、駐車管理装置３０は、駐車場の空き駐車スペースの状況を把握できるように、駐車場３における車両の入・出庫情報や各駐車スペースへの駐車状況等の情報を、車両の入・出庫があったタイミングや的的なタイミング等の所定タイミングで、駐車場管理システム６０に送信する。
【００１７】
上記Ｒ／Ｗ装置３１は、各駐車場３の駐車管理装置３０に組み込まれ、決済用端末装置としても機能する。Ｒ／Ｗ装置３１は、携帯電話機１０と所定の通信方式で通信するための通信モジュール等で構成されている。携帯電話機１０との通信方式としては次のような各種方式を採用することができる。例えば、非接触ＩＣカードを用いた非接触通信方式や、ブルートゥース（登録商標）等の電波を用いた近距離無線通信方式、赤外線を用いた通信方式、可視光を用いた通信方式等を採用することができる。データの転送には所定の通信プロコルが用いられ、その転送方式としては、シリアルデータ転送方式の他、多重転送方式、時分割転送方式等を採用することができる。また、Ｒ／Ｗ装置３１は、例えば固定回線のネットワーク５０を介して電子マネー管理システム２０と通信し、電子財布サービス関連のデータを電子マネー管理システム２０との間でやり取りすることができる。Ｒ／Ｗ装置３１と電子マネー管理システム２０との間の通信プロトコルとしては、例えばＨＴＴＰの他、ＦＴＰやＴＥＬＮＥＴ、又は独自の通信プロトコルが用いられ、これらプロトコルを使用して各種データが送受される。なお、上記ネットワーク５０には、適宜、携帯電話通信網４０を利用するようにしてもよいし、他の通信回線ネットワークを利用するようにしてもよい。
【００１８】
上記駐車場管理システム６０は、例えばＷＥＢ機能を具備したコンピュータからなるサーバ装置で構成され、携帯電話網４０を介して携帯電話機１０との間で通信したり、例えば固定回線のネットワーク５０を介して各駐車場３の駐車管理装置３０や電子マネー管理システム２０と通信したりできるように構成されている。また、駐車場管理システム６０と携帯電話機１０との間は、インターネット７０を経由して通信することもできる。駐車場管理システム６０と携帯電話機１０との間の通信プロトコルとしては、例えばＨＴＴＰ（HyperText Transfer Protocol ）が用いられる。
【００１９】
また、上記駐車場管理システム６０は駐車場管理データベース６１を備えている。この駐車場管理データベース６１には、管理対象の駐車場の情報、各駐車場のリアルタイムの利用情報（車両の入・出庫情報、駐車スペースの空き情報等）、利用者による予約情報、予約駐車料金（課金情報）等が保存されている。
【００２０】
上記駐車場管理システム６０は、コンピュータ上で所定のプログラムが起動され、駐車場管理データベース６１や、外部の通信ネットワークと通信する通信インターフェース装置と連携することにより、次のような機能を有する。すなわち、駐車場管理システム６０は、利用者の携帯電話機１０から携帯電話通信網４０を介して駐車場予約要求を受信し、駐車場予約要求で指定された駐車場について携帯電話機１０の利用者による利用開始の情報を駐車場管理データベース６１に登録する駐車場予約処理を実行し、前記利用開始から所定時間経過するまでの仮利用時間について携帯電話機１０の利用者に対する駐車料金の課金処理を電子マネー管理システム２０と連携して実行し、携帯電話通信網４０を介して携帯電話機１０に、前記駐車場予約処理の結果を送信する機能を有する。
【００２１】
また、上記駐車場管理システム６０は、前記駐車場に入庫しようとする自動車の利用者の携帯電話機１０を介して、その自動車の利用者が前記駐車場予約を行った本人であるか否かを確認するための本人確認情報を取得し、駐車場管理データベース６１の登録情報と前記取得した本人確認情報とに基づいて、駐車場３へ入庫しようとする自動車の利用者が前記駐車場予約を行った本人であるか否かを判断し、駐車場３へ入庫しようとする自動車の利用者が前記駐車場予約を行った本人であることを確認できた場合に、その利用者の自動車の駐車場３への入庫を許可する入庫許可情報を、通信回線５０を介して駐車場に設置された駐車管理装置３０に送信する機能を有する。
【００２２】
ここで、前記駐車場予約処理は、駐車場３の駐車空きスペースを利用者に割り当てて登録する処理を含み、携帯電話機１０に送信される駐車場予約処理の結果は、駐車場３の駐車空きスペースを特定する情報を含んでもよい。
【００２３】
また、上記駐車場利用管理システム６０は、駐車場３から出庫しようとする自動車の利用者の携帯電話機１０を介して、その自動車の入・出庫情報を取得し、その入・出庫情報に基づいて、利用者の自動車が実際に駐車されていた時間が前記仮利用時間を超過したか否かを判断し、前記仮利用時間を超過した場合には、電子マネー管理サーバと連携して前記超過時間分について利用者に対する課金処理を電子マネー管理システム２０と連携して実行する機能を有する。
【００２４】
また、上記駐車場利用管理システム６０は、携帯電話機１０から携帯電話通信網４０を介して、前記利用予約が可能な駐車場の検索を要求する駐車場検索要求を受信し、駐車場検索要求に基づいて、前記利用予約が可能な駐車空きスペースがある駐車場を検索し、携帯電話通信網４０を介して携帯電話機１０に前記検索の結果を送信する、空き駐車場情報提供サーバとしての機能も有する。
【００２５】
上記携帯電話機１０は、携帯電話通信網４０の基地局４１を介して、電子マネー管理システム２０や駐車場管理システム６０と通信することができる。この携帯電話機１０には、ＷＥＢサイトを閲覧するブラウザのアプリケーションソフトのほか、利用者が決済で使用可能なクレジットカード情報や実際の銀行口座から予め引き落とした貨幣情報が保管され、これらの電子財布関連の情報を管理するソフトウェアであるアプリケーションプログラムが組み込まれている。以下、アプリケーションプログラムは適宜「アプリケーション」と略し、上記電子財布関連の情報を管理するソフトウェアであるアプリケーションプログラムは、「財布アプリケーション」という。本実施形態では、この財布アプリケーションとして、ＪＡＶＡ（登録商標。以下同様。）やＣ＋＋等のオブジェクト指向プログラミングで開発された、プラットフォームに依存しないアプリケーションプログラムを用いている。これらのアプリケーションプログラムは、ネットワーク上のサーバから適宜ダウンロードして携帯電話機１０内に登録することができ、それらの中から利用者が選択して実行することができる。利用者が選択したアプリケーションプログラムは、携帯電話機１０に構築されたＪＡＶＡ実行環境やＢＲＥＷ（登録商標。以下同様。）実行環境上で実行される。なお、上記ブラウザのアプリケーションソフトとしては、携帯電話機１０のネイティブ上で起動可能なプリインストールのブラウザソフトを使用してもよいし、上記サーバからダウンロードしたＪＡＶＡ等のブラウザソフトを使用してもよい。
【００２６】
図３は、携帯電話機１０のハードウェア構成の一例を示すブロック図である。この携帯電話機１０は、主制御部１１０と無線通信部１１１とベースバンド処理部１１２と音入出力部１１３と表示部１１４と操作部１１５とを備える。
主制御部１１０は、ＭＰＵ（Micro Processing Unit）、ＲＡＭ、ＲＯＭ等を備え、所定の基本ＯＳやミドルウェア等のプログラムが実行されることにより、ベースバンド処理部１１２等の各部を制御したり、ソフトウェア構成上のネイティブプラットフォーム環境やアプリケーション実行環境を構築したりする。
無線通信部１１１は、例えばシンセサイザ、周波数変換器，高周波増幅器などにより構成され、携帯電話通信網４０の基地局４１との間で無線通信するための高周波信号処理を実行する。
ベースバンド処理部１１２は、外部の移動体通信端末やサーバとの間で電話やデータ送受信の通信を行うためのデジタル処理を実行する。このベースバンド処理部１１２と上記無線通信部１１１との間はＤ／Ａ変換器やＡ／Ｄ変換器を介して接続されている。
音入出力部１１３は、マイク、スピーカ、音信号処理部等で構成されている。マイクから出力されるアナログの音声信号は、音信号処理部でデジタル信号に変換され、主制御部１１０やベースバンド処理部１１２等に送られる。スピーカは、音信号処理部でデジタル信号から変換されたアナログ信号が入力され、通話中の音声を出力したり、メールの着信音、電話の呼び出し音、音楽などを出力したりする。なお、スピーカは、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
表示部１１４は、ＬＣＤ（液晶ディスプレイ）等で構成され、主制御部１１０からの指令に基づいて各種画像を表示する。
操作部１１５は、データ入力キー（テンキー、＊キー、＃キー）、通話開始キー、終話キー、スクロールキー、多機能キー等の複数のキーで構成されている。この操作部１１５は、利用者が通話開始、終話、メニュー選択、画面切り換え等を指示したり情報を入力したりするときに用いられる。
【００２７】
また、携帯電話機１０は、電子財布サービスで用いられる電子マネー処理用の集積回路装置としての専用ＩＣチップやＩＣカードで構成された電子財布チップ部１１６を備えている。電子財布チップ部１１６は、前述の駐車管理装置３０内のＲ／Ｗ装置３１との間で、所定通信プロトコルによる通信を行うためのアンテナや無線通信回路を有している。
【００２８】
また、携帯電話機１０は、ＧＰＳ（Global Positioning System）部１１７、カメラ部１１８、センサー部１１９、電源供給部１２０、図示しない時計部等も備えている。
ＧＰＳ部１１７は、ＧＰＳ受信モジュールやＧＰＳアンテナ等で構成され、地球の周りに配置されている複数のＧＰＳ衛星から電波を受信し、その受信結果に基づいて携帯電話機１０が位置する緯度、経度及び高度のデータを算出する。
カメラ部１１８は、レンズや撮像デバイス等で構成され、人物や風景等を撮影する時に用いられる。撮像デバイスとしては、ＣＣＤ（Charge Coupled Device）カメラやＣＭＯＳカメラを用いることができる。
センサー部１１９は、加速度センサー及び／又は地磁気センサー等で構成されている。上記加速度センサーは、１軸の加速度センサーであっていいし、２軸や３軸等の複数軸の加速度センサーであってもよい。また、上記地磁気センサーも、１軸の地磁気センサーであっていいし、２軸や３軸等の複数軸の地磁気センサーであってもよい。このセンサー部１１９の出力に基づいて、携帯電話機１０の位置、向き、姿勢及び動きを示すデータを算出することができる。また、センサー部１１９の出力に基づいて、所定高度における基準位置から利用者の携帯電話機１０が移動したときの加速度データや地磁気データの時間変化の情報である履歴情報から、携帯電話機１０が位置している高度、角度等を示すデータを算出することができる。
電源供給部１２０は、充電可能なバッテリー、バッテリーから各部に所定電圧の電力を供給する電力供給回路、バッテリーを充電する充電回路などを備えている。
時計部はクロック回路等で構成され、正確な日時を計数し、更新処理等のための時刻情報を生成する。
【００２９】
図４は、携帯電話機１０のソフトウェア構成の一例を示すブロック図である。携帯電話通信網４０を介した電話やデータ通信等の携帯電話機１０の基本的な動作は、ネイティブ１３０と呼ばれる電話機プラットフォームの実行環境上で実行される。このネイティブ１３０は、基本ＯＳや、各種ミドルウェア、各種ドライバーソフト等で構成される。ミドルウェアとしては、電話処理ソフト、メールクライアント、メールブラウザ、ＨＴＴＰクライアント、ＷＥＢブラウザ、アプリケーションマネージャ等のソフトが起動される。このネイティブ１３０内のドライバーソフトを介して、ＧＰＳ部１１７におけるＧＰＳ制御ソフト１３１や、センサー部１１９におけるセンサー制御ソフト１３２等が実行される。
【００３０】
上記ネイティブ１３０上には、利用者からの起動指示があった場合など、必要に応じてＪＡＶＡ等のアプリケーション実行環境（仮想マシン）１４０が構築される。このアプリケーション実行環境１４０上で、利用者によって登録され選択された、ゲーム１５１、位置情報サービス（ＬＢＳ）１５２、電子財布１５３等の各種アプリケーションが実行される。
【００３１】
また、上記ネイティブ１３０上において、電子財布サービスを受けるためのセキュリティコントローラ１３５のソフトが実行される。このセキュリティコントローラ１３５は、電子財布アプリケーション１５３が実行されているアプリケーション実行環境１４０との間で、各種指令やデータを送受信する。また、セキュリティコントローラ１３５は、ネイティブ１３０内のＨＴＴＰクライアント１３０ａや電子財布チップドライバ１３０ｂを介して、電子財布チップ部１１６との間で各種指令やデータを送受信する。これにより、電子財布チップ部１１６における電子財布チップ制御ソフト１３３が実行され、当該電子財布チップ制御ソフト１３３の実行により、電子財布チップ部１１６とＲ／Ｗ装置３１との商品・サービスの取引や決済のための通信が制御される。また、電子財布チップ部１１６内のデータ記憶領域の管理や、それらのデータ記憶領域に対するデータの書き込みや読み出しなどが制御される。
更に、セキュリティコントローラ１３５は、アプリケーション実行環境１４０で実行される電子財布アプリケーション１５３の要求にしたがって、ネットワーク上の電子マネー管理システム２０との通信を制御し、電子財布サービスにおける決済などの処理に必要なデータの読み書きを実行する。
【００３２】
ここで、電子財布サービス用のプラットフォームは主に、ネイティブ１３０の一部（ＨＴＴＰクライアント１３０ａ、電子財布チップドライバ１３０ｂ）と、セキュリティコントローラ１３５と、アプリケーション実行環境１４０で実行される電子財布アプリケーション１５３と、電子財布チップ部１１６における電子財布チップ制御ソフト１３３とにより形成される。
【００３３】
図５は、アプリケーション実行環境（仮想マシン）１４０の構成の一例を示すブロック図である。このアプリケーション実行環境（仮想マシン）１４０は、オブジェクト指向プログラミングで開発されたアプリケーション１５１，１５２，１５３，・・・に利用される、仮想マシン、クラスライブラリ、実行環境管理ライブラリ、アプリケーション管理等のソフトウェアを提供し、アプリケーションの実行環境を管理する。
【００３４】
ここで、ＪＡＶＡ用の実行環境は、例えば、携帯電話機などの組み込み機器向けの機能セットであるＪ２ＭＥ（JAVA 2 Micro Edition）の一つとして定義される想定実行環境ＣＬＤＣ（Connected Limited Device Configuration）と、仮想マシンとしてのＫＶＭ（K Virtual Machine）とを基本構成として構築することができる。
上記クラスライブラリは、所定の用途ごとにプロファイルと呼ばれる複数種類のクラスライブラリ群を構成している。この複数種類のプロファイルとしては、標準のクラスライブラリ群で構成されるＭＩＤＰ（Mobile Information Device Profile）等の標準プロファイルと、電子財布アプリケーションやゲームアプリケーションなどの特定の用途に用いるクラスライブラリ群で構成される拡張プロファイルとがある。
上記アプリケーション実行環境１４０上で実行されるアプリケーションは、クラスライブラリＡＰＩ（アプリケーションインターフェース）を介して、アプリケーション実行環境１４０内にある標準プロファイル及び拡張プロファイルの関数等のクラスライブラリを呼び出して使用できるようになっている。
【００３５】
上記アプリケーション実行環境１４０の実行環境管理ライブラリが持つ機能としては、携帯電話（移動局）管理機能、ユーザインターフェース機能、メディア管理機能、時間管理機能、タイマー機能、イベント制御機能、通信管理機能、描画管理機能、ストレージ管理機能、メモリ管理機能、サウンド機能等がある。これらの実行環境管理ライブラリは、電話機プラットフォームＡＰＩを介して、ネイティブ１３０内の電話機プラットフォームライブラリを呼び出して使用することができる。また、上記実行環境管理ライブラリは、セキュリティコントローラＡＰＩを介して、セキュリティコントローラ１３５内のライブラリを呼び出して使用することができる。
【００３６】
また、ネイティブ１３０やセキュリティコントローラ１３５は、各種イベントが発生したとき、アプリケーション実行環境１４０を介してアプリケーション１５１，１５２，１５３，・・・に、その発生したイベントを通知することができる。
【００３７】
上記アプリケーション実行環境１４０上で実行可能なＪＡＶＡアプリケーションのうち、電子財布アプリケーション１５３は、プログラム関連情報としてのプロパティ情報であるＪＡＤ（Joint Application Design）ファイル内の記述で認識される。具体的には、ＪＡＤファイルに電子財布アプリケーションであることを示す属性（例えば、「MIDlet-Wallet Partition Number」）が記述されることで認識される。また、ＪＡＤファイルに電子財布アプリケーションの属性を示すアプリケーションの存在がある場合には、MIDxlet-Resident(Default: N)属性を無視し、デフォルト扱いとされる。これにより、電子財布アプリケーションを常駐型アプリケーション、常駐継続型アプリケーションに設定できないようにしている。更に、携帯電話機１０の常駐アプリケーション設定画面において、電子財布アプリケーションは設定対象として表示されない。
【００３８】
図６は、携帯電話機１０を用いて駐車場管理システム６０で管理される駐車場を予約するときの処理の一例を示すシーケンス図である。まず、利用者１は携帯電話機１０を操作してＷＥＢブラウザを起動し、駐車場管理システム６０が提供する駐車場検索の所定ＷＥＢサイトにアクセスする。そして、所望の地域や施設等を指定して予約可能な空き駐車場の検索を指示すると、携帯電話機１０から駐車場管理システム６０に駐車場検索要求が送信される。駐車場管理システム６０は、駐車場検索要求に基づいて、利用者が指定した利用予約が可能な駐車空きスペースがある駐車場を駐車場管理データベース６１から検索し、その検索結果のＷＥＢページのデータを利用者の携帯電話機１０に送信する。ここで、利用者に提供する駐車空きスペースとしては、検索時点で駐車している車両の駐車予定時間を考慮せずに、その検索時点で駐車している車両がない完全に開いている駐車スペースのみを抽出して検索するのが好ましい。この場合は、検索時点で駐車している車両が駐車時間を延長して駐車し続けることによってその駐車スペースを予約した車両が利用できないという事態を避けることができる。
【００３９】
利用者は、携帯電話機１０に表示された検索結果を確認し、所望の駐車場を選択して利用予約を指示すると、携帯電話機１０から駐車場管理システム６０に駐車場予約要求が送信される。駐車場管理システム６０は、駐車場予約要求で指定された駐車場について、携帯電話機１０の利用者による利用開始の情報を駐車場管理データベース６１に登録する駐車場予約処理を実行する。この利用開始の情報は必要に応じて駐車場管理システム６０から予約対象の駐車場３の駐車管理装置３０に送信される。また、駐車場管理システム６０と携帯電話機１０と電子マネー管理システム２０との間で電子マネーによる支払いのための課金情報が送受信され、上記予約した駐車場の利用開始から所定時間経過するまでの仮利用時間について、上記予約を行った携帯電話機１０の利用者に対する駐車料金の支払い処理が実行される。支払い処理が完了すると、駐車場管理システム６０は、携帯電話機１０に駐車場予約処理の結果を送信する。利用者は、携帯電話機１０に表示された駐車場予約処理の結果を見て、駐車場の名称・場所、予約された駐車スペースを特定する情報（駐車ブロックの識別記号、駐車スペースの識別記号、立体駐車場の場合の階数など）、予約された時間帯、課金処理された駐車料金等の予約内容を確認することができる。
【００４０】
図７は、利用者が予約した駐車場に自動車を入庫するときの処理を示すシーケンス図である。利用者が自動車を運転して予約済みの駐車場に到着し、駐車場の入口ゲートに設置された駐車管理装置３０に携帯電話機１０をかざすと、携帯電話機１０から駐車管理装置３０に本人確認情報が送信される。この本人確認情報としては例えば、携帯電話機１０の識別情報や携帯電話機１０の電子財布チップ部１１６に設定されたＩＤ（ＩＤｍ）を送信することができる。この携帯電話機１０から受信した本人確認情報は、駐車管理装置３０から駐車場管理システム６０に送信される。駐車場管理システム６０は、駐車場管理データベース６１の登録情報と携帯電話機１０から取得した本人確認情報とに基づいて、駐車場３へ入庫しようとする自動車の利用者が前記駐車場予約を行った本人であるか否かを判断する。なお、駐車場管理システム６０は、本人確認情報等に基づいて電子マネー管理システム２０にアクセスし、電子マネー管理システム２０に保存されている電子マネー利用者情報を用いて本人確認処理を行ってもよい。
【００４１】
駐車場管理システム６０は、駐車場３へ入庫しようとする自動車の利用者が前記駐車場予約を行った本人であることを確認できた場合に、その利用者の自動車の駐車場３への入庫を許可する入庫許可情報を駐車管理装置３０に送信する。駐車管理装置３０は入庫許可情報に基づいて入口ゲートを開たり、利用予約済み駐車スペースの使用規制装置を解除したり、利用者が利用予約済み駐車スペースに自動車を駐車できるようにする駐車許可制御を実行する。これにより、利用者は利用予約済み駐車スペースに自動車を駐車することができる。
【００４２】
図８は、利用者が自動車を出庫するときの処理を示すシーケンス図である。利用者が駐車場から自動車を出庫するときに、駐車管理装置３０に携帯電話機１０をかざすと、出庫しようとする自動車の利用者の本人確認情報が携帯電話機１０から駐車管理装置３０を介して駐車場管理システム６０に送信される。また、駐車場管理システム６０は、１０は、駐車場管理データベース６１の登録情報と携帯電話機１０から取得した本人確認情報とに基づいて、駐車場３から出庫しようとする自動車の利用者が本人であるか否かを判断する。本人であることを確認できた場合に、その利用者の自動車の駐車場３からの出庫を許可する出庫許可情報を駐車管理装置３０に送信する。駐車管理装置３０は出庫許可情報に基づいて入口ゲートを開たり、利用予約済み駐車スペースのロック装置を解除したり、利用者が駐車スペースに自動車を駐車できるようにする出庫許可制御を実行する。これにより、利用者は駐車スペースに自動車を駐車することができる。
【００４３】
また、駐車場管理システム６０は、携帯電話機１０から駐車管理装置３０を介して受信した本人確認情報に基づいて駐車場管理データベースを参照し、その自動車の入・出庫情報を取得し、その入・出庫情報に基づいて、当該利用者の自動車が実際に駐車されていた時間が前記仮利用時間を超過したか否かを判断する。ここで、仮利用時間を超過した場合には、その超過時間分について、前記予約時と同様に、駐車場管理システム６０と携帯電話機１０と電子マネー管理システム２０との間で利用者の電子マネーによる支払い処理が実行される。
【００４４】
以上、本実施形態によれば、携帯電話機１０を用いて駐車場を事前に予約することができ、その事前に予約された駐車場をその予約を行った本人が確実に利用できる。しかも、駐車場の管理者側は、携帯電話機１０を用いた駐車場の予約の際に、その予約された駐車スペースの利用に対する料金の支払いを受けることができるので、予約キャンセルによる収入減を防止できる。
【００４５】
また、本実施形態によれば、駐車空きスペースを特定して駐車場を予約できるので、利用者が予約した駐車場に到着したとき、駐車空きスペースを探すことなく、駐車場予約処理の結果で特定されている駐車空きスペースに速やかに駐車することができる。
【００４６】
また、本実施形態によれば、駐車場を予約した利用者が予約時の仮利用時間を超過して自動車を延長駐車したときに、その超過時間分について利用者に対する課金処理を実行するので、超過時間分に対する利用料金の回収漏れを回避できる。
【００４７】
また、本実施形態によれば、利用者の携帯電話機１０から駐車場管理システム６０にアクセスすることにより、利用予約が可能な駐車空きスペースがある駐車場を簡単に探すことができる。
【００４８】
なお、上記実施形態においては、携帯電話機１０を例に挙げて説明したが、本発明は、他の移動体通信端末や情報通信端末についても同様に適用できるものである。
また、上記実施形態では、携帯電話機１０に組み込まれた電子マネー機能を用いて駐車場の利用料金の支払いを行っているが、駐車場管理システム６０が携帯電話通信網の課金サーバとの間で駐車場利用についての課金情報を送受信することにより、利用者の駐車場の利用料金の支払いを、その利用者の携帯電話機１０の利用料金（通話料金）に加算するように処理してもよい。
【図面の簡単な説明】
【００４９】
【図１】本発明に係る実施形態における駐車場利用方法の概略手順の一例を示す説明図。
【図２】本実施形態に係る駐車場管理システム及び電子マネー管理システムを含む駐車場利用システム全体の一例を示す概略構成図。
【図３】携帯電話機のハードウェア構成の一例を示すブロック図。
【図４】携帯電話機のソフトウェア構成の一例を示すブロック図。
【図５】アプリケーション実行環境の構成の一例を示すブロック図。
【図６】携帯電話機を用いて駐車場管理システムで管理される駐車場を予約するときの処理の一例を示すシーケンス図。
【図７】利用者が予約した駐車場に自動車を入庫するときの処理を示すシーケンス図。
【図８】利用者が自動車を出庫するときの処理を示すシーケンス図。
【符号の説明】
【００５０】
１０    携帯電話機
２０    電子マネー管理システム
３０    駐車管理装置
３１    Ｒ／Ｗ装置（通信モジュール）
４０    携帯電話通信網
５０    固定回線のネットワーク
６０    駐車場管理システム
７０    インターネット
【図２】
2008204215.tif 000003
【図３】
2008204215.tif 000004
【図４】
2008204215.tif 000005
【図５】
2008204215.tif 000006
【図６】
2008204215.tif 000007
【図７】
2008204215.tif 000008
【図８】
2008204215.tif 000009
【図１】
2008204215.tif 000010